(57)【特許請求の範囲】
【請求項１】
レールを有するスライドプレートと、
軸と該軸に接続されたフランジとを有するベースプレートと、
を備え、
前記レールは、直線状のガイド面と、円弧形状の切欠とを有し、
前記フランジは、前記ガイド面に対応した直線面と、前記切欠に対応した円弧面とを有し、
前記レールは、前記切欠を複数有し、
前記ベースプレートは、前記フランジを複数有し、
前記ベースプレートは、前記レールの前記ガイド面と前記フランジの前記直線面との係合に基づいて前記レールにガイドされながら前記スライドプレートに対して相対的にスライド移動し、且つ、前記レールの前記切欠と前記フランジの前記円弧面との係合に基づいてスライドが規制されながら、前記軸を回転軸にして前記スライドプレートに対して相対的に回転し、
前記ベースプレートが前記スライドプレートに対して所定の角度の回転をした場合、前記複数のフランジが前記複数の切欠に係合して、前記ベースプレートのスライドが規制される、
ことを特徴とするスライド回転ユニット。
【請求項２】
前記スライドプレートと前記ベースプレートとの間に配置され、前記軸が挿入される切欠を有する中間プレートを備える、
ことを特徴とする請求項１に記載のスライド回転ユニット。
【請求項３】
前記スライドプレート及び前記ベースプレート及び前記中間プレートは、ばねを取り付けるための突起を有する、
ことを特徴とする請求項２に記載のスライド回転ユニット。
【請求項４】
前記フランジの前記円弧面の曲率と前記切欠の曲率とは、互いに同一又は略同一である、
ことを特徴とする請求項１乃至３のいずれか一項に記載のスライド回転ユニット。
【請求項５】
前記ベースプレートは、前記軸を回転軸にして双方向に回転可能である、
ことを特徴とする請求項１乃至４のいずれか一項に記載のスライド回転ユニット。
【請求項６】
前記フランジの形状は、円の１箇所を直線状にカットした形状である、
ことを特徴とする請求項１乃至５のいずれか一項に記載のスライド回転ユニット。
【請求項７】
前記フランジの形状は、円の２箇所を直線状にカットした形状である、
ことを特徴とする請求項１乃至５のいずれか一項に記載のスライド回転ユニット。
【請求項８】
請求項１乃至７のいずれか一項に記載のスライド回転ユニットを有する、
ことを特徴とする電子機器。
【発明の詳細な説明】
【技術分野】
【０００１】
本発明は、２つ以上の物体を相対的にスライド移動及び回転させるスライド回転ユニット及びこれを用いた電子機器に関する。
【背景技術】
【０００２】
特許文献１〜３には、第１筐体と第２筐体とを相対的にスライド移動及び回転させるスライド回転ユニットを有する携帯電話機が開示されている。こうしたスライド回転ユニットは、スライド時に回転を規制し、回転時にスライドを規制する。
【先行技術文献】
【特許文献】
【０００３】
【特許文献１】特開２００８−９２２６４号公報
【特許文献２】特開２００９−９７５５０号公報
【特許文献３】特開２００９−１１８２２８号公報
【発明の概要】
【発明が解決しようとする課題】
【０００４】
特許文献１〜３に記載のスライド回転ユニットは、構造が複雑になったり、専用部品が必要になったりする。その結果、コストアップやサイズアップを招いている。
【０００５】
本発明は、簡易な構造で、第１筐体（スライドプレート）及び第２筐体（ベースプレート）の好適なスライド動作及び回転動作を可能とするスライド回転ユニット及び電子機器を提供することを目的とする。
【課題を解決するための手段】
【０００６】
本発明の第１の観点に係るスライド回転ユニットは、レールを有するスライドプレートと、軸と該軸に接続されたフランジとを有するベースプレートと、を備え、前記レールは、直線状のガイド面と、円弧形状の切欠とを有し、前記フランジは、前記ガイド面に対応した直線面と、前記切欠に対応した円弧面とを有し、前記レールは、前記切欠を複数有し、前記ベースプレートは、前記フランジを複数有し、前記ベースプレートは、前記レールの前記ガイド面と前記フランジの前記直線面との係合に基づいて前記レールにガイドされながら前記スライドプレートに対して相対的にスライド移動し、且つ、前記レールの前記切欠と前記フランジの前記円弧面との係合に基づいてスライドが規制されながら、前記軸を回転軸にして前記スライドプレートに対して相対的に回転し、前記ベースプレートが前記スライドプレートに対して所定の角度の回転をした場合、前記複数のフランジが前記複数の切欠に係合して、前記ベースプレートのスライドが規制される。
【０００７】
本発明の第２の観点に係る電子機器は、前記スライド回転ユニットを有する。
【発明の効果】
【０００８】
本発明によれば、簡易な構造で、第１筐体（スライドプレート）及び第２筐体（ベースプレート）の好適なスライド動作及び回転動作が可能となる。
【図面の簡単な説明】
【０００９】
【図１】本発明の実施形態に係る携帯電話機の概要を示す図である。
【図２Ａ】スライドプレートの構造を示す平面図である。
【図２Ｂ】図２ＡのＡ−Ａ断面図である。
【図３Ａ】中間プレートの構造を示す平面図である。
【図３Ｂ】図３ＡのＡ−Ａ断面図である。
【図４Ａ】ベースプレートの構造を示す平面図である。
【図４Ｂ】図４ＡのＡ−Ａ断面図である。
【図５】スライドアシストばね及び回転アシストばねの構造を示す図である。
【図６】中間プレートとベースプレートとの連結態様を示す図である。
【図７Ａ】ガイドスリーブの構造を示す平面図である。
【図７Ｂ】図７ＡのＡ−Ａ断面図である。
【図８】スライド前且つ回転前の状態のスライド回転ユニットの概要を示す図である。
【図９】図８の部分拡大図である。
【図１０】図９のＡ−Ａ断面図である。
【図１１】スライド回転ユニットのスライド動作（スライド量＝小）を説明するための図である。
【図１２】図１１の部分拡大図である。
【図１３】図１２のＡ−Ａ断面図である。
【図１４】スライド回転ユニットのスライド動作（スライド量＝大）を説明するための図である。
【図１５】スライド回転ユニットの順方向の回転動作（回転量＝小）を説明するための図である。
【図１６】図１５の部分拡大図である。
【図１７】図１６のＡ−Ａ断面図である。
【図１８】スライド回転ユニットの順方向の回転動作（回転量＝大）を説明するための図である。
【図１９】図１８の第１の部分の拡大図である。
【図２０】図１８の第２の部分の拡大図である。
【図２１】スライド回転ユニットの逆方向の回転動作（回転量＝小）を説明するための図である。
【図２２】スライド回転ユニットの逆方向の回転動作（回転量＝大）を説明するための図である。
【図２３】携帯電話機における第１筐体（又は第２筐体）のスライド動作を説明するための斜視図である。
【図２４】携帯電話機における第１筐体（又は第２筐体）のスライド動作を説明するための平面図である。
【図２５】携帯電話機における第１筐体（又は第２筐体）の順方向の回転動作を説明するための斜視図である。
【図２６】携帯電話機における第１筐体（又は第２筐体）の順方向の回転動作を説明するための平面図である。
【図２７】携帯電話機における第１筐体（又は第２筐体）の逆方向の回転動作を説明するための斜視図である。
【図２８】携帯電話機における第１筐体（又は第２筐体）の逆方向の回転動作を説明するための平面図である。
【図２９】Ｈカット形状のフランジの一例を示す図である。
【図３０】曲線軌道を１本だけ有するガイド孔の一例を示す図である。
【図３１】フランジを１つだけ有するベースプレートの一例を示す図である。
【図３２】円弧面のないフランジを有するベースプレートの一例を示す図である。
【図３３】レールに形成される切欠の配置の別例を示す図である。
【図３４】ベースプレートの回転軸が挿入される貫通孔を有する中間プレートの一例を示す図である。
【図３５】Ｙ方向にずれた２つのフランジを有するベースプレートの一例を示す図である。
【発明を実施するための形態】
【００１０】
以下、本発明の実施形態について説明する。なお、図中、矢印Ｚ１、Ｚ２は、それぞれ各プレート（スライドプレート２１、中間プレート２２、ベースプレート２３）の主面（表裏面）の法線方向（又は各プレートの厚み方向）に相当する。一方、矢印Ｘ１、Ｘ２及びＹ１、Ｙ２は、それぞれ矢印Ｚ１、Ｚ２に直交する方向（各プレートの主面に平行な方向）を指す。各プレートの主面は、Ｘ−Ｙ平面となる。また、各プレートの側面は、Ｘ−Ｚ平面又はＹ−Ｚ平面となる。以下、相反する法線方向を向いた２つの主面を、第１面（矢印Ｚ１側の面）、第２面（矢印Ｚ２側の面）という。
【００１１】
本実施形態の携帯電話機１０００（電子機器）は、図１に示すように、第１筐体１１、第２筐体１２と、スライド回転ユニット１００と、を有する。第１筐体１１は、側壁部１１ａと、上蓋部１１ｂと、から構成される。一方、第２筐体１２は、側壁部１２ａと、第１底部１２ｂと、第２底部１２ｃと、から構成される。第２筐体１２は、携帯電話機１０００の操作部側筐体に相当し、第１筐体１１は、携帯電話機１０００の表示側筐体に相当する。
【００１２】
スライド回転ユニット１００は、スライドプレート２１と、中間プレート２２と、ベースプレート２３と、スライドアシストばね３１、回転アシストばね３２と、を有する。図２Ａ〜図５に、スライドプレート２１（図２Ａ、図２Ｂ）、中間プレート２２（図３Ａ、図３Ｂ）、ベースプレート２３（図４Ａ、図４Ｂ）、及びスライドアシストばね３１、回転アシストばね３２（図５）を拡大して示す。
【００１３】
スライドプレート２１は、図２Ａ及び図２Ｂ（図２ＡのＡ−Ａ断面図）に示すように、プレート本体２１０と、レール２１１と、ピン２１２と、を有する。プレート本体２１０の両脇（矢印Ｘ１、Ｘ２側）には、対称的な構造を有する２つのレール２１１が配置される。レール２１１は、ベースプレート２３のＹ方向を長手方向（スライド方向）とする。レール２１１は、連結部２１１ａを有する。連結部２１１ａの断面形状は、例えば外側に向かって折れ曲がったＬ形状である。連結部２１１ａは、直線状のガイド面Ｆ１１と、円弧形状の切欠２１１ｂと、を有する。連結部２１１ａはプレート本体２１０の第２面側に突出する。また、両脇の連結部２１１ａの各々には、２つずつ切欠２１１ｂが形成される。ピン２１２は、プレート本体２１０の第２面の所定の位置に配置される。ピン２１２は、プレート本体２１０の第２面側に突出する。ピン２１２は、ばねを取り付けるための突起に相当する。
【００１４】
中間プレート２２は、図３Ａ及び図３Ｂ（図３ＡのＡ−Ａ断面図）に示すように、プレート本体２２０と、貫通孔２２ａと、切欠２２ｂと、ピン２２ｃと、連結部２２ｄと、を有する。貫通孔２２ａ及び切欠２２ｂは、プレート本体２２０に形成される。これらは、例えば２つの切欠２２ｂが貫通孔２２ａを挟むように、プレート本体２２０の矢印Ｙ２側に配置される。ピン２２ｃは、プレート本体２２０の第１面の所定の位置（例えば矢印Ｘ１側）に配置される。ピン２２ｃは、プレート本体２２０の第１面側に突出する。ピン２２ｃは、ばねを取り付けるための突起に相当する。プレート本体２２０の両脇（矢印Ｘ１、Ｘ２側）には、対称的な構造を有する２つの連結部２２ｄが配置される。連結部２２ｄの断面形状は、連結部２１１ａ（図２Ｂ）に対応した形状、例えば内側に開いたＵ字形状である。連結部２２ｄはプレート本体２２０の第１面側に突出する。
【００１５】
ベースプレート２３は、図４Ａ及び図４Ｂ（図４ＡのＡ−Ａ断面図）に示すように、プレート本体２３０と、スイングピン２３１と、ピン２３２と、を有する。
【００１６】
プレート本体２３０の第１面の所定の位置、例えば矢印Ｙ２側の両脇（矢印Ｘ１、Ｘ２側）には、対称的な構造を有する２つのスイングピン２３１が配置される。スイングピン２３１は、フランジ２３１ａと、軸２３１ｂと、を有する。軸２３１ｂは、中間プレート２２の回転軸となる。軸２３１ｂは、プレート本体２３０の第１面側に突出する。フランジ２３１ａは、軸２３１ｂの先端に接続されている。フランジ２３１ａと軸２３１ｂとは例えば一体に形成される。ただしこれに限定されず、別々に形成した後、両者を接続してもよい。フランジ２３１ａの形状は、Ｄカット形状である。Ｄカット形状は、円の１箇所を直線状にカットした形状である。すなわち、フランジ２３１ａは、ガイド面Ｆ１１に対応した直線面Ｆ２１と、切欠２１１ｂ（図２Ａ）の円弧面に対応した円弧面Ｆ２２と、を有する。また、フランジ２３１ａの円弧面Ｆ２２は、切欠２１１ｂの円弧面に対応している。本実施形態では、フランジ２３１ａの円弧の曲率と切欠２１１ｂの円弧の曲率とが、互いに同一又は略同一である。
【００１７】
ピン２３２は、プレート本体２３０の第２面の所定の位置（例えば矢印Ｙ１側の真ん中）に配置される。ピン２３２は、プレート本体２３０の第２面側に突出する。ピン２３２は、ばねを取り付けるための突起に相当する。
【００１８】
プレート本体２３０には、ベースプレート２３の回転をガイドするガイド孔２３３が形成される。ガイド孔２３３の形状は、例えば軸２３１ｂを中心とした２つの１／４円弧が２つの軸２３１ｂの中心で背中合わせに交わる略Ｖ字形状である。ガイド孔２３３は、２本の曲線軌道、すなわち第１ガイド２３３ａ及び第２ガイド２３３ｂからなる。
【００１９】
上記スライドプレート２１、中間プレート２２、ベースプレート２３において、切欠２１１ｂの間隔Ｄ１（図２Ａ）、切欠２２ｂの間隔Ｄ２（図３Ａ）、及び軸２３１ｂの間隔Ｄ３（図４Ａ）は、互いに同一である。
【００２０】
スライドアシストばね３１は、図５に示すように、第１端部３１ａ及び第２端部３１ｂを有する。スライドアシストばね３１は、スライドの途中からばねの力によりスライドをアシストする。回転アシストばね３２は、図５に示すように、第１端部３２ａ及び第２端部３２ｂを有する。回転アシストばね３２は、回転の途中からばねの力により回転をアシストする。
【００２１】
中間プレート２２とベースプレート２３とは、図６に示すように、ガイドスリーブ４０によって相対的に回転（摺動）可能に連結される。ガイドスリーブ４０は、ガイド孔２３３に挿入され、中間プレート２２に固定される。ベースプレート２３の軸２３１ｂは中間プレート２２の切欠２２ｂに挿入される。軸２３１ｂを切欠２２ｂの後端（開口端）からプレート本体２２０の内側にスライドさせることで、中間プレート２２にベースプレート２３を取り付けることができる。その結果、軸２３１ｂが切欠２２ｂの先端（底端）に配置される。両脇（矢印Ｘ１、Ｘ２側）の軸２３１ｂは、それぞれ両脇（矢印Ｘ１、Ｘ２側）の切欠２２ｂに配置される。また、プレート本体２３０はプレート本体２２０の第２面側に配置され、フランジ２３１ａはプレート本体２２０の第１面側に配置される。本実施形態では、中間プレート２２が切欠２２ｂを有することで、フランジ２３１ａと軸２３１ｂとが一体に成形されていても、中間プレート２２にベースプレート２３を容易に取り付けることができる。
【００２２】
ガイドスリーブ４０は、図７Ａ（平面図）及び図７Ｂ（図７ＡのＡ−Ａ断面図）に示すように、第１突出部４１と、第２突出部４２と、フランジ４３と、貫通孔４４と、を有する。第１突出部４１、第２突出部４２、及びフランジ４３は、例えば一体に形成される。第１突出部４１はフランジ４３の一端から第１面側に突出し、第２突出部４２はフランジ４３の他端から第２面側に突出する。フランジ４３及び貫通孔４４は、同心円状に形成される。ガイドスリーブ４０の形状は、例えば円筒形状である。ただしこれに限定されず、ガイドスリーブ４０の形状は任意である。ガイドスリーブ４０は、ベースプレート２３の回転時のガイドを行う。
【００２３】
スライドプレート２１、中間プレート２２、ベースプレート２３、スライドアシストばね３１、及び回転アシストばね３２は、例えば図８に示すように組み立てられる。
【００２４】
スライドプレート２１の連結部２１１ａは、中間プレート２２の連結部２２ｄと係合する（図１参照）。これにより、スライドプレート２１と中間プレート２２とが相対的にスライド（摺動）可能になる。
【００２５】
スライドアシストばね３１の第１端部３１ａは、スライドプレート２１のピン２１２と係合し、スライドアシストばね３１の第２端部３１ｂは中間プレート２２のピン２２ｃと係合する。回転アシストばね３２の第１端部３２ａはガイドスリーブ４０と係合し、回転アシストばね３２の第２端部３２ｂはベースプレート２３のピン２３２と係合する。
【００２６】
スライドプレート２１は第１筐体１１に固定され、ベースプレート２３は第２筐体１２に固定される（図１参照）。
【００２７】
次に、スライド回転ユニット１００のスライド動作について説明する。
【００２８】
図８及び図９（図８の領域Ｒ１の拡大図）及び図１０（図９のＡ−Ａ断面図）に示す状態は、スライド前の状態である。この状態では、ベースプレート２３が最も矢印Ｙ１側に位置する。
【００２９】
図８の状態から、スライドプレート２１に対して相対的にベースプレート２３を矢印Ｙ２側へスライド移動（摺動）させると、レール２１１に沿ってベースプレート２３が移動し、図１１及び図１２（図１１の領域Ｒ１１の拡大図）及び図１３（図１２のＡ−Ａ断面図）に示すような状態になる。
【００３０】
また、図１１の状態からさらに矢印Ｙ２の方向へベースプレート２３をスライド（摺動）させると、レール２１１に沿ってベースプレート２３が移動し、図１４に示すような状態になる。この状態では、ベースプレート２３が最も矢印Ｙ２側に位置する。なお、図１４の領域Ｒ１２の拡大図は、基本的には先の図１２、図１３と同じになる。
【００３１】
このスライド動作は、スライドプレート２１のレール２１１のガイド面Ｆ１１とベースプレート２３の両側（矢印Ｘ１側及び矢印Ｘ２側）のフランジ２３１ａの直線面Ｆ２１との係合によってＹ方向にガイドされる。詳しくは、ガイド面Ｆ１１と直線面Ｆ２１とが平行に向き合う（図１２参照）ことで、ベースプレート２３の回転が規制されるとともに、Ｙ方向のスライドが許容される。
【００３２】
スライド中においては、ベースプレート２３の回転が、回転アシストばね３２の力により規制される。このため、フランジ２３１ａと切欠２１１ｂとが対向する時（図９参照）でも、ベースプレート２３は回転せずにスライドすることができる。
【００３３】
次に、スライド回転ユニット１００の回転動作について説明する。
【００３４】
図８及び図９（図８の領域Ｒ１の拡大図）及び図１０（図９のＡ−Ａ断面図）に示す状態は、回転前（θ＝０°）の状態である。この状態では、スライドプレート２１とベースプレート２３とが完全に重なる。
【００３５】
図８の状態から、軸２３１ｂを回転軸にしてスライドプレート２１に対して相対的にベースプレート２３をＸＹ１方向に回転（θ＝４５°）させると、ガイド孔２３３に沿ってベースプレート２３が回転（摺動）し、図１５及び図１６（図１５の領域Ｒ２１の拡大図）及び図１７（図１６のＡ−Ａ断面図）に示すような状態になる。これにより、ガイドスリーブ４０が第１ガイド２３３ａ側に移動する。
【００３６】
また、図１５の状態からさらにＸＹ１方向にベースプレート２３を回転（θ＝９０°）させると、ガイド孔２３３に沿ってベースプレート２３が回転（摺動）し、図１８及び図１９（図１８の領域Ｒ２２の拡大図）及び図２０（図１８の領域Ｒ２３の拡大図）に示すような状態になる。これにより、ガイドスリーブ４０が第１ガイド２３３ａの端まで移動する。本実施形態では、この状態が、ＸＹ１方向の最大回転位置である。
【００３７】
図８の状態から、軸２３１ｂを回転軸にしてスライドプレート２１に対して相対的にベースプレート２３をＸＹ２方向に回転（θ＝−４５°）させると、ガイド孔２３３に沿ってベースプレート２３が回転（摺動）し、図２１に示すような状態になる。これにより、ガイドスリーブ４０が第２ガイド２３３ｂ側に移動する。
【００３８】
また、図２１の状態からさらにＸＹ２方向にベースプレート２３を回転（θ＝−９０°）させると、ガイド孔２３３に沿ってベースプレート２３が回転（摺動）し、図２２に示すような状態になる。これにより、ガイドスリーブ４０が第２ガイド２３３ｂの端まで移動する。本実施形態では、この状態が、ＸＹ２方向の最大回転位置である。
【００３９】
図１６、図１９、図２０に示されるように、フランジ２３１ａが切欠２１１ｂに対応した円弧形状を有することで、ベースプレート２３はＸＹ１方向に回転できる。また同様に、ベースプレート２３はＸＹ２方向にも回転できる。すなわち、ベースプレート２３は、双方向に回転することができる。他方、フランジ２３１ａと切欠２１１ｂとが干渉することで、回転中はベースプレート２３のスライドが規制される。しかも、θ＝±９０°回転した状態では、２箇所でフランジ２３１ａと切欠２１１ｂとが干渉（係合）するため、スライド移動の規制がより強化される。
【００４０】
本実施形態のスライド回転ユニット１００では、ベースプレート２３が、レール２１１のガイド面Ｆ１１とフランジ２３１ａの直線面Ｆ２１との係合に基づいてレール２１１にガイドされながらスライドプレート２１に対して相対的にスライド移動する。また、ベースプレート２３が、レール２１１の切欠２１１ｂとフランジ２３１ａの円弧面Ｆ２２との係合に基づいてスライド移動が規制されながら、軸２３１ｂを回転軸にしてスライドプレート２１に対して相対的に回転する。その結果、簡易な構造でスライド時の回転規制及び回転時のスライド規制が可能になるため、好適なスライド動作及び回転動作が実現される。
【００４１】
次に、スライド回転ユニット１００に第１筐体１１、第２筐体１２を取り付けた状態、すなわち携帯電話機１０００のスライド動作及び回転動作について説明する。第１筐体１１はスライドプレート２１に取り付けられ、第２筐体１２はベースプレート２３に取り付けられる（図１参照）。
【００４２】
図２３（斜視図）、図２４（平面図）に、第１筐体１１（スライドプレート２１）に対して第２筐体１２（ベースプレート２３）を矢印Ｙ２の方向へ、また、第２筐体１２に対して第１筐体１１を矢印Ｙ１の方向へ、スライドさせる様子を示す。図２４は、図８、図１１、図１４に対応している。
【００４３】
図２３、図２４に示されるように、第１筐体１１と第２筐体１２とは、直線上、特にＹ方向に沿って、相対的にスライド移動することができる。第１筐体１１と第２筐体１２とが重なった状態から、第２筐体１２に対して相対的に所定の量、第１筐体１１がスライド移動することで、第１筐体１１が第２筐体１２の一部のみと重なる状態になる。第１筐体１１及び第２筐体１２はスライド往復することができるため、携帯電話機１０００の第１筐体１１又は第２筐体１２の開閉が可能になる。
【００４４】
図２５（斜視図）、図２６（平面図）に、第１筐体１１（スライドプレート２１）に対して第２筐体１２（ベースプレート２３）をＸＹ１方向に回転させる様子を示す。図２６は、図８、図１５、図１８に対応している。
【００４５】
図２７（斜視図）、図２８（平面図）に、第１筐体１１（スライドプレート２１）に対して第２筐体１２（ベースプレート２３）をＸＹ２方向に回転させる様子を示す。図２６は、図８、図２１、図２２に対応している。
【００４６】
第１筐体１１と第２筐体１２とは相対的に回転することができる。例えば図２５、図２６に示されるように、第１筐体１１はＸＹ１方向に（第２筐体１２はＸＹ２方向に）回転することができる。また、図２７、図２８に示されるように、第１筐体１１はＸＹ２方向に（第２筐体１２はＸＹ１方向に）も、回転することができる。すなわち、第１筐体１１及び第２筐体１２は双方向に回転することができる。第２筐体１２に対して相対的に第１筐体１１が所定の角度（例えば９０°）回転することで、第１筐体１１が第２筐体１２の一部のみと重なる状態（例えばＴ字）になるため、携帯電話機１０００の第１筐体１１又は第２筐体１２の開閉が可能になる。
【００４７】
以上、本発明の実施形態に係るスライド回転ユニット及び電子機器について説明したが、本発明は、上記実施形態に限定されない。例えば以下のように変形して実施することもできる。
【００４８】
上記実施形態において、スライドプレート２１、中間プレート２２、又はベースプレート２３等の構成（構成要素、寸法、形状、又は配置等）は、本発明の趣旨を逸脱しない範囲において任意に変更することができる。
【００４９】
例えば図２９に示すように、フランジ２３１ａの形状をＨカット形状にしてもよい。Ｈカット形状は、円の２箇所を直線状にカットした形状である。すなわち、フランジ２３１ａは、平行な２つの直線面Ｆ２１を有する。また、フランジ２３１ａの円弧面Ｆ２２に凹凸を形成して歯車状にしてもよい。
【００５０】
上記実施形態では、スライド回転ユニット１００の構造として双方向に回転可能な構造を例示したが、スライド回転ユニット１００の構造は一方向のみに回転可能な構造であってもよい。すなわち、ガイド孔２３３は、例えば図３０に示すように、曲線軌道を１本だけ有するものであってもよい。この場合、例えば図３１に示すように、フランジ２３１ａを１つにしてもよい。また、例えば図３２に示すように、１つのフランジ２３１ａを円弧面を有さないものとして、スライド時のガイドのみに使用してもよい。
【００５１】
スライド後に第２筐体１２（ベースプレート２３）を回転するようにしてもよい。例えば図３３に示すように、回転位置（回転時のスライド量）に応じて、切欠２１１ｂの位置を変更することができる。
【００５２】
フランジ２３１ａと軸２３１ｂとを別々に形成した後で接続する場合には、例えば図３４に示すように、中間プレート２２の切欠２２ｂに代えて、貫通孔２２１を形成してもよい。
【００５３】
上記実施形態では、ベースプレート２３がスライドプレート２１に対して９０°の回転をした場合に、２つのフランジ２３１ａが２つの切欠２１１ｂに係合する。しかしこれに限定されず、９０°以外の角度で２つのフランジ２３１ａが２つの切欠２１１ｂに係合するようにしてもよい。例えば図３５に示すように、最大回転角度に応じて、両脇のフランジ２３１ａをＹ方向にずらしてもよい。
【００５４】
上記実施形態では、本発明を携帯電話機１０００に適用した場合について説明したが、これに限定されない。本発明は、例えばＰＨＳ（Personal Handyphone System）、ＰＤＡ（Personal Digital Assistants）、又は小型コンピュータ等、他の電子機器にも適用することができる。本発明は、特に携帯端末装置に有効である。
【００５５】
以上、本発明の実施形態について説明したが、設計上の都合やその他の要因によって必要となる様々な修正や組み合わせは、「請求項」に記載されている発明や「発明を実施するための形態」に記載されている具体例に対応する発明の範囲に含まれると理解されるべきである。
【産業上の利用可能性】
【００５６】
本発明のスライド回転ユニット及び電子機器は、携帯電話機等の携帯端末装置に適している。
【符号の説明】
【００５７】
１１  第１筐体
１１ａ  側壁部
１１ｂ  上蓋部
１２  第２筐体
１２ａ  側壁部
１２ｂ  第１底部
１２ｃ  第２底部
２１  スライドプレート
２２  中間プレート
２２ａ  貫通孔
２２ｂ  切欠
２２ｃ  ピン
２２ｄ  連結部
２３  ベースプレート
３１  スライドアシストばね
３２  回転アシストばね
４０  ガイドスリーブ
４１  第１突出部
４２  第２突出部
４３  フランジ
４４  貫通孔
１００  スライド回転ユニット
２１０  プレート本体
２１１  レール
２１１ａ  連結部
２１１ｂ  切欠
２１２  ピン
２２０  プレート本体
２２１  貫通孔
２３０  プレート本体
２３１  スイングピン
２３１ａ  フランジ
２３１ｂ  軸
２３２  ピン
２３３  ガイド孔
２３３ａ  第１ガイド
２３３ｂ  第２ガイド
１０００  携帯電話機（電子機器）
【図１】
0005434400.tif 000002
【図２Ａ】
0005434400.tif 000003
【図２Ｂ】
0005434400.tif 000004
【図３Ａ】
0005434400.tif 000005
【図３Ｂ】
0005434400.tif 000006
【図４Ａ】
0005434400.tif 000007
【図４Ｂ】
0005434400.tif 000008
【図５】
0005434400.tif 000009
【図６】
0005434400.tif 000010
【図７Ａ】
0005434400.tif 000011
【図７Ｂ】
0005434400.tif 000012
【図８】
0005434400.tif 000013
【図９】
0005434400.tif 000014
【図１０】
0005434400.tif 000015
【図１１】
0005434400.tif 000016
【図１２】
0005434400.tif 000017
【図１３】
0005434400.tif 000018
【図１４】
0005434400.tif 000019
【図１５】
0005434400.tif 000020
【図１６】
0005434400.tif 000021
【図１７】
0005434400.tif 000022
【図１８】
0005434400.tif 000023
【図１９】
0005434400.tif 000024
【図２０】
0005434400.tif 000025
【図２１】
0005434400.tif 000026
【図２２】
0005434400.tif 000027
【図２３】
0005434400.tif 000028
【図２４】
0005434400.tif 000029
【図２５】
0005434400.tif 000030
【図２６】
0005434400.tif 000031
【図２７】
0005434400.tif 000032
【図２８】
0005434400.tif 000033
【図２９】
0005434400.tif 000034
【図３０】
0005434400.tif 000035
【図３１】
0005434400.tif 000036
【図３２】
0005434400.tif 000037
【図３３】
0005434400.tif 000038
【図３４】
0005434400.tif 000039
【図３５】
0005434400.tif 000040